(57)【要約】【目的】カム溝に対するフォロアの係脱作業性と強度に優れ、かつ大型化も避けることが可能なカム環、及びズームレンズ鏡筒を提供する。【構成】レンズを支持するとともに、その周面にフォロアピンを有するレンズ支持枠と、上記レンズの光軸を中心とした回転対称形状をなし、上記光軸と平行な直進案内溝を有する直進案内環と、該直進案内環と同心をなすとともに、カム溝が形成されたカム環とを具備し、上記レンズ支持枠のフォロアピンを、上記直進案内環の直進案内溝とカム環のカム溝とに嵌合し、上記直進案内環とカム環の上記光軸回りの相対回転によって、上記レンズ支持枠を上記光軸方向に移動させるようにしたズームレンズ鏡筒において、上記カム環は、段階的に径が小さくなるように光軸方向に位置を異ならせて設けた少なくとも２つの異径の筒状部と、該異径筒状部の間に位置する段部とを備え、小径の筒状部に形成したカム溝の一端が大径の筒状部との間の段部に開口され、該開口を通してフォロアピンをカム溝に挿脱可能としたことを特徴とするズームレンズ鏡筒。【選択図】　　　図１
2004029764.tif 000002
【特許請求の範囲】
【請求項１】
レンズを支持するとともに、その周面にフォロアピンを有するレンズ支持枠と、
上記レンズの光軸を中心とした回転対称形状をなし、上記光軸と平行な直進案内溝を有する直進案内環と、
該直進案内環と同心をなすとともに、カム溝が形成されたカム環とを具備し、
上記レンズ支持枠のフォロアピンを、上記直進案内環の直進案内溝とカム環のカム溝とに嵌合し、上記直進案内環とカム環の上記光軸回りの相対回転によって、上記レンズ支持枠を上記光軸方向に移動させるようにしたズームレンズ鏡筒において、
上記カム環は、段階的に径が小さくなるように上記光軸方向に位置を異ならせて設けた少なくとも２つの異径の筒状部と、該異径筒状部の間に位置する段部とを備え、小径の筒状部に形成した上記カム溝の一端が大径の筒状部との間の段部に開口され、該開口を通して上記フォロアピンをカム溝に挿脱可能としたことを特徴とするズームレンズ鏡筒。
【請求項２】
請求項１記載のズームレンズ鏡筒において、上記カム環は３つの上記異径筒状部と２つの上記段部を具備し、上記カム溝が２つの段部と該２つの段部に連なる小径側の２つの筒状部とに形成されており、各カム溝に上記レンズ支持枠のフォロアピンを係合させたズームレンズ鏡筒。
【請求項３】
請求項１または２記載のズームレンズ鏡筒において、上記カム溝が貫通溝であるズームレンズ鏡筒。
【請求項４】
請求項１ないし３のいずれか１項に記載のズームレンズ鏡筒において、上記フォロアピンはレンズ支持枠と一体に形成されているズームレンズ鏡筒。
【請求項５】
直進案内された移動部材に設けられたフォロアと係合するカム溝を有し、回転駆動されることで上記移動部材を回転軸方向に直進移動させるカム環において、
段階的に径が小さくなるように上記回転軸方向に位置を異ならせて設けた少なくとも２つの異径の筒状部と、該異径筒状部の間に位置する段部とを備え、小径の筒状部に形成した上記カム溝の一端が、大径の筒状部との間の段部に開口され、該開口を通して上記フォロアをカム溝に挿脱可能としたことを特徴とするカム環。
【請求項６】
請求項５記載のカム環において、３つの上記筒状部と２つの上記段部を具備し、その２つの段部と該２つの段部に連なる小径側の２つの筒状部とに跨ってカム溝が形成されているカム環。
【発明の詳細な説明】
【０００１】
【技術分野】
本発明は、カム環を有するズームレンズ鏡筒、及びそのカム環に関する。
【０００２】
【従来技術およびその問題点】
例えばズームレンズ鏡筒は、光軸回りに回転駆動されるカム環の回転によって、レンズ群を所定の軌跡で移動させている。すなわち、円筒状をなすカム環の内側に、円筒状をなす直進案内環を配設し、この直進案内環の内部に、レンズ群を支持するレンズ支持枠を配設して、そのフォロアピンを、直進案内環に貫通溝として形成された直進案内溝に係合することにより、レンズ支持枠を直進案内するとともに、上記フォロアピンの先端部をカム環に形成したカム溝に係合させ、カム環を回転させることにより、レンズ群を光軸方向に移動させる。
【０００３】
しかし、このようなズームレンズ鏡筒のカム環のカム溝と直進案内環の直進案内溝が、その前端と後端がカム環と直進案内環の前端と後端に達しない位置で終端している場合には、レンズ支持枠の中心からフォロアピンの先端までの距離が、カム環の内周面の半径よりも長いので、レンズ支持枠にフォロアピンを取り付けたまま、このフォロアピンをカム環のカム溝に係合させることはできない。
従って、カム環のカム溝にレンズ支持枠のフォロアピンを係合させるには、まずフォロアピンを取り外したレンズ支持枠をカム環及び直進案内環の内部に入れ、次いでフォロアピンをカム環の外周側からカム溝に挿入してレンズ支持枠の外周面側に取り付ける必要がある。レンズ支持枠に対するフォロアピンの装着方法としては、レンズ支持枠に形成した孔へ単にフォロアピンを嵌入させるだけのものや、フォロアピンの端面から突出する雄ネジをレンズ支持枠の外周面に設けられた雌ネジに螺合させるもの等が知られている。しかし、このような要領によりレンズ支持枠のフォロアピンをカム溝に係合させるのは面倒である。
【０００４】
また、レンズ支持枠にフォロアピンを取り付けたままでは、レンズ支持枠を取り外すこともできない。従ってこの場合は、フォロアピンをカム溝から外径方向に抜き取るとともに、レンズ支持枠をカム環及び直進案内環の内部から取り出す必要があるが、この作業も面倒である。例えば、フォロアピンとレンズ支持枠がネジ螺合されている場合には、予めカム環の外周側からフォロアピンを回転させてフォロアピンの雄ネジとレンズ支持枠の雌ネジの螺合を解除し、フォロアピンをカム溝から抜き取っておく必要がある。
【０００５】
さらに、上述したように、レンズ支持枠の中心からフォロアピンの先端までの距離がカム環の内周面の半径よりも長いので、このようなカム溝には、レンズ支持枠にフォロアピンが一体成形されたタイプのものは係脱させることができない。
【０００６】
また、上述したように、フォロアピンをカム溝へ係脱させるには、カム環の外周側からフォロアピンを係脱（回転操作や径方向への抜き取り）させる必要があるので、カム環の外周側に他の環状体（例えばズームレンズ鏡筒本体）を配置した状態では、フォロアピンのカム溝への係脱作業を行うことができない。
【０００７】
一方、カム溝と直進案内溝の前端と後端のそれぞれを、カム環と直進案内環の前端と後端に達する位置まで延ばした場合、カム溝が貫通溝だと、カム環の強度が低下してしまう。また、カム溝が有底溝の場合は、カム環の径が大型化してしまい、ひいてはズームレンズ鏡筒の径が大型化してしまう。
【０００８】
以上のような問題点は、ズームレンズ鏡筒以外に用いられるカム環においても同様に存在する。
【０００９】
【発明の目的】
本発明は、ズームレンズ鏡筒の構成部材である環状体に形成されたレンズ群移動用のカム溝に、レンズ支持枠のフォロアピンを簡単に係脱でき、さらに、レンズ支持枠に一体成形されたフォロアピンも係脱させることができ、また、カム溝が形成された環状体の外側に他の環状体が配置されている状態においても、カム溝にフォロアピンを係脱でき、さらに、その径を大型化しないようにすることができ、かつ、カム溝形成に伴う強度低下を最小限に止めることができるカム環を有するズームレンズ鏡筒提供することを目的とする。本発明はまた、カム溝に対するフォロアの係脱作業性とカム環の強度に優れ、かつ大型化も避けることが可能なカム環を提供することを目的とする。
【００１０】
【発明の概要】
本発明のズームレンズ鏡筒は、レンズを支持するとともに、その周面にフォロアピンを有するレンズ支持枠と、上記レンズの光軸を中心とした回転対称形状をなし、上記光軸と平行な直進案内溝を有する直進案内環と、該直進案内環と同心をなすとともに、カム溝が形成されたカム環とを具備し、上記レンズ支持枠のフォロアピンを、上記直進案内環の直進案内溝とカム環のカム溝とに嵌合し、上記直進案内環とカム環の上記光軸回りの相対回転によって、上記レンズ支持枠を上記光軸方向に移動させるようにしたズームレンズ鏡筒において、上記カム環が、段階的に径が小さくなるように光軸方向に位置を異ならせて設けた少なくとも２つの異径の筒状部と、該異径筒状部の間に位置する段部とを備え、小径の筒状部に形成したカム溝の一端が大径の筒状部との間の段部に開口され、該開口を通してフォロアピンを該カム溝に挿脱可能としたことを特徴としている。
【００１１】
２つのレンズ群を光軸方向に相対移動させるタイプのズームレンズ鏡筒では、カム環に３つの異径筒状部と２つの段部を設け、２つの段部と該２つの段部に連なる小径側の２つの筒状部とにカム溝を形成し、各カム溝にレンズ支持枠のフォロアピンを係合させるとよい。
【００１２】
本発明は、カム溝が貫通溝である場合にも強度を確保しやすい。また、フォロアピンはレンズ支持枠と一体に形成されている場合に特に有効である。
【００１３】
本発明はまた、ズームレンズ鏡筒に限定されないカム環に関する。本発明のカム環は、直進案内された移動部材に設けられたフォロアと係合するカム溝を有し、回転駆動されることで上記移動部材をカム環の回転軸方向に直進移動させるカム環において、段階的に径が小さくなるように上記回転軸方向に位置を異ならせて設けた少なくとも２つの異径の筒状部と、該異径筒状部の間に位置する段部とを備え、小径の筒状部に形成したカム溝の一端が、大径の筒状部との間の段部に開口され、該開口を通して上記フォロアをカム溝に挿脱可能としたことを特徴としている。
【００１４】
例えば、カム環には３つの異径筒状部と２つの段部を設け、その２つの段部と該２つの段部に連なる小径側の２つの筒状部とに跨ってカム溝を形成することができる。
【００１５】
【発明の実施の形態】
以下、本発明の一実施形態について添付図面を参照しながら説明する。
図１に示すズームレンズ鏡筒１０は、一眼レフカメラなどに用いられる交換レンズであり、撮影光学系として被写体側から順に、第１レンズ群Ｌ１、第２レンズ群Ｌ２、第３レンズ群Ｌ３を有する。ズームレンズ鏡筒１０は、光軸Ｏを中心として内径側から順に、直進案内環（直進案内部材）１、カム環（環状体）１１、固定環３が同心状に設けられ、固定環３の外側には光軸方向の前方位置にフォーカス環７、後方位置にズーム操作環１７がそれぞれ独立して回転操作可能に支持されている。ズーム操作環１７を回転させると、第２レンズ群Ｌ２と第３レンズ群Ｌ３が光軸方向へ所定の軌跡で相対移動して変倍動作が行われる。一方、フォーカス環７を回転させると第１レンズ群Ｌ１が光軸方向に移動してフォーカシングが行われる。
【００１６】
略円筒状の直進案内環１は、光軸Ｏ回りの回転と光軸Ｏ方向への直進移動が規制されており、その前端には径方向外向きの環状フランジ１ａが形成されている。直進案内環１には、周方向に等角度間隔で３本の光軸Ｏと平行な直進案内溝１ｂが形成されている。環状フランジ１ａには、直進案内溝１ｂの前端と連続する径方向溝１ｃが設けられている。直進案内環１の後端部には、図示を省略したカメラ本体と結合するマウント部１ｄが形成されている。
【００１７】
直進案内環１の外周側に設けた固定環３は、その前端が開口しており、後端部には内径方向へ突出する環状フランジ３ｃが設けられ、この環状フランジ３ｃの内径側端部から後方へ向けて固定環部３ｆが延設されている。固定環部３ｆは、直進案内環１の後端部付近にネジ５で固定され、これにより固定環３は、光軸Ｏ回りの回転と光軸Ｏ方向への移動が規制される。
【００１８】
固定環３の外周面の前端部にはリードネジ部３ａが形成されており、このリードネジ部３ａには、略円筒状をなすフォーカス環７の内周面に形成されたリードネジ部７ａが螺合している。フォーカス環７を光軸Ｏ回りに回転させると、リードネジ部３ａ、７ａの関係によって回転しながら光軸Ｏ方向の前後に移動する。固定環３の外周面の前端部近傍にはピン９が立設されており、このピン９は、フォーカス環７の後端部に形成された周方向に長い切り欠き７ｂ内に位置している。このピン９と切り欠き７ｂの関係により、フォーカス環７の周方向の回動範囲が規制されている。フォーカス環７の内周面の前端部にはフォーカスレンズ群である第１レンズ群Ｌ１が支持されている。
【００１９】
直進案内環１と固定環３の間には、カム環１１が配設されている。このカム環１１は、単体としては前端と後端が開口されており、前方から後方に向かうにつれて径が段階的に小さくなる同心状の３つの筒状体（異径筒状部）１１ａ、１１ｂ及び１１ｃと、隣り合う筒状体１１ａと１１ｂ、１１ｂと１１ｃの端部同士を結合する環状フランジ（段部）１１ｄ、１１ｅとを具備するものである。具体的には、カム環１１は光軸方向前方から順に、最も大径である前方筒状体１１ａ、該前方筒状体１１ａから内径方向へ延出される前方環状フランジ１１ｄ、該前方環状フランジ１１ｄの内径側端部に接続する中間筒状体１１ｂ、該中間筒状体１１ｂから内径方向へ延出される後方環状フランジ１１ｅ、該後方環状フランジ１１ｅの内径側端部に接続する後方筒状体１１ｃを備えている。
【００２０】
カム環１１の後方筒状体１１ｃの後端部付近には径方向に貫通する雌ネジ孔１１ｆが設けられており、この雌ネジ孔１１ｆには径方向外方を向く回動範囲規制ピン１２の下面に突設された雄ネジ１２ａが螺合されている。この回動範囲規制ピン１２は、固定環３の後端部付近に形成された周方向溝３ｂに嵌合しており、回動範囲規制ピン１２の上端は周方向溝３ｂを貫通し固定環３の上方に突出している。この回動範囲規制ピン１２と周方向溝３ｂの嵌合関係により、カム環１１の光軸Ｏ回りの回動範囲はワイド端（図２の位置）とテレ端（図３の位置）の間に規制されている。なお、図２乃至図４では、カム環１１や直進案内環１に対する周方向溝３ｂや回動範囲規制ピン１２の位置関係を分かりやすくするために、カム環１１上に周方向溝３ｂが描かれているが、図１から分かるように、周方向溝３ｂが実際にカム溝１１上に形成されているわけではない。
また、カム環１１の後端面は、固定環３の後端部の環状フランジ３ｃの前面に当接しており、カム環１１の前端面は直進案内環１の環状フランジ１ａの後面に当接しているので、カム環１１は光軸Ｏ方向に移動不能となっている。
【００２１】
カム環１１の中間筒状体１１ｂには、周方向に等角度間隔で同一形状の３本の２群用カム溝Ｃ１が径方向への貫通溝として形成されている。図１乃至図４に示すように、この２群用カム溝Ｃ１の後端は中間筒状体１１ｂの後端（すなわち後方環状フランジ１１ｅ）よりも前方で終端している。一方、２群用カム溝Ｃ１の前端は前方環状フランジ１１ｄにまで達し、該前方環状フランジ１１ｄにおいて前方へ開放されたフォロア挿脱開口１１ｇとなっている。前方筒状体１１ａの後端部付近の一部領域には、前方環状フランジ１１ｄのフォロア挿脱開口１１ｇ（２群用カム溝Ｃ１の前端）に連なる３本の前方溝Ｃ１ａが形成されている。この前方溝Ｃ１ａは、カム環１１の外側からドリル（図示略）等で２群用カム溝Ｃ１を加工するときに必然的に形成されてしまう不使用領域である。なお、図１では、光軸方向における形成領域を分かりやすくするために２群用カム溝Ｃ１は光軸方向への直線溝のように描かれているが、実際には、図１の断面位置では２群用カム溝Ｃ１はその溝幅分の領域（二点鎖線で示す）にのみ表れる。
【００２２】
カム環１１の後方筒状体１１ｃには、周方向に等角度間隔で同一形状の３本の３群用カム溝Ｃ２が径方向への貫通溝として形成されている。図１乃至図４に示すように、この３群用カム溝Ｃ２の後端は後方筒状体１１ｃの後端よりも前方で終端している。一方、３群用カム溝Ｃ２の前端は後方環状フランジ１１ｅにまで達し、該後方環状フランジ１１ｅにおいて前方へ開放されたフォロア挿脱開口１１ｈとなっている。中間筒状体１１ｂの後端部付近の一部領域には、後方環状フランジ１１ｅのフォロア挿脱開口１１ｈ（３群用カム溝Ｃ２の前端）に連なる３本の前方溝Ｃ２ａが形成されている。この前方溝Ｃ２ａは、上述の前方溝Ｃ１ａと同様の不使用領域である。なお、２群用カム溝Ｃ１と同様に、図１では、３群用カム溝Ｃ２は形成領域を分かりやすくするために直線溝のように描かれているが、実際には図１の断面位置では３群用カム溝Ｃ２はその溝幅分の領域（二点鎖線で示す）にのみ表れる。
【００２３】
可動変倍レンズ群である第２レンズ群Ｌ２を支持するレンズ支持枠（移動部材）１３の外周面には、周方向に等角度間隔で３本のフォロアピン（フォロア）１３ａが、一体成形により突設されている。各フォロアピン１３ａは、直進案内溝１ｂと２群用カム溝Ｃ１に嵌っている。
【００２４】
また、可動変倍レンズ群である第３レンズ群Ｌ３を支持するレンズ支持枠（移動部材）１５の外周面には、周方向に等角度間隔で３本のフォロアピン（フォロア）１５ａが、一体成形により突設されている。各フォロアピン１５ａは、直進案内溝１ｂと３群用カム溝Ｃ２に嵌っている。
【００２５】
固定環３の外周面の後部には、固定環３と同心をなすズーム操作環１７が、光軸Ｏ回りに回転自在に嵌合しており、ズーム操作環１７に穿設された、回動範囲規制ピン１２とほぼ同じ断面形状をなす小径の円形孔１７ａには回動範囲規制ピン１２の上端部が嵌合している。ズーム操作環１７をワイド端とテレ端の間で回転させると、カム環１１はワイド端とテレ端の間をズーム操作環１７と常に一体となって光軸Ｏ回りに回転する。
【００２６】
ズーム操作環１７の後端には径方向内向きの環状フランジ１７ｂが形成されており、この環状フランジ１７ｂは、固定環３に形成された環状段部３ｄに回転自在に嵌合している。また、固定環３には、環状段部３ｄの直後に、環状フランジ３ｃの外周部に位置する環状段部３ｅが形成されており、この環状段部３ｅには抜け止め環１９が嵌合している。抜け止め環１９はネジ２１により環状段部３ｅに固定されている。抜け止め環１９は、環状段部３ｄの前壁３ｇとの間に環状フランジ１７ｂを挟持して、ズーム操作環１７の固定環３に対する光軸Ｏ方向の移動を規制している。
【００２７】
ズーム操作環１７を光軸Ｏ回りに回転させると、カム環１１が光軸Ｏ回りに回転して、第２レンズ群Ｌ２は２群用カム溝Ｃ１と直進案内溝１ｂに従って中間筒状体１１ｂの光軸方向の範囲内でワイド端とテレ端の間を光軸方向に直進移動し、第３レンズ群Ｌ３は３群用カム溝Ｃ２と直進案内溝１ｂに従って後方筒状体１１ｃの光軸方向の範囲内でワイド端とテレ端の間を光軸方向に直進移動する。ズーム操作環１７をワイド端まで回動させると、フォロアピン１３ａ（第２レンズ群Ｌ２）とフォロアピン１５ａ（第３レンズ群Ｌ３）は図２に示すワイド端に移動し、ズーム操作環１７をテレ端まで回動させると、フォロアピン１３ａ（第２レンズ群Ｌ２）とフォロアピン１５ａ（第３レンズ群Ｌ３）は図３に示すテレ端に移動する。
【００２８】
次に、上記構成からなるズームレンズ鏡筒１０に、前後のレンズ支持枠１３、１５を組み付ける要領について説明する。
前後のレンズ支持枠１３、１５のズームレンズ鏡筒１０への組み付け作業は、フォーカス環７と回動範囲規制ピン１２を、それぞれ固定環３とカム環１１に取り付ける前に行う。
【００２９】
図４に示すように、テレ端を超えた位置までカム環１１を回転させて、前方環状フランジ１１ｄに形成したフォロア挿脱開口１１ｇ（２群用カム溝Ｃ１と前方溝Ｃ１ａの境界部分）と、後方環状フランジ１１ｅに形成したフォロア挿脱開口１１ｈ（３群用カム溝Ｃ１と前方溝Ｃ２ａの境界部分）をそれぞれ、直進案内溝１ｂの一部と径方向にオーバーラップさせる。
この状態で、まずレンズ支持枠１５のフォロアピン１５ａを直進案内環１の前方から径方向溝１ｃに通し、フォロアピン１５ａを直進案内溝１ｂに沿ってそのまま後方に移動させて、環状フランジ１１ｅのフォロア挿脱開口１１ｇに係合させる。次いで、レンズ支持枠１３のフォロアピン１３ａを直進案内環１の前方から径方向溝１ｃに通し、フォロアピン１３ａを直進案内溝１ｂに沿ってそのまま後方に移動させて、のフォロア挿脱開口１１ｈに係合させる。
この後にカム環１１をテレ端側に回転させると、フォロアピン１３ａ、１５ａは図３に示すように光軸方向後方に移動し、直進案内溝１ｂと各カム溝Ｃ１、Ｃ２から抜け出せなくなり、前後のレンズ支持枠１３、１５の組み付け作業が終了する。
この後、フォーカス環７と回動範囲規制ピン１２を、それぞれ固定環３とカム環１１に取り付ければ、ズームレンズ鏡筒１０が完成する。
【００３０】
次に、完成状態にあるズームレンズ鏡筒１０から、前後のレンズ支持枠１３、１５を取り外す要領について説明する。
まず、フォーカス環７を固定環３から取り外し、さらに、円形孔１７ａにドライバー（図示略）を挿入し、ドライバーの先端を回動範囲規制ピン１２の上面のマイナス溝１２ｂに係合しながらドライバーを回転させて、回動範囲規制ピン１２をカム環１１から取り外す。
次いで、図４に示すようにカム環１１を、環状フランジ１１ｄ、１１ｅに形成したフォロア挿脱開口１１ｇ、１１ｈが直進案内溝１ｂと径方向にオーバーラップする位置まで回転させる。すると、レンズ支持枠１３のフォロアピン１３ａはフォロア挿脱開口１１ｇの位置まで移動し、レンズ支持枠１５のフォロアピン１５ａはフォロア挿脱開口１１ｈの位置まで移動する。
【００３１】
この状態で、まずレンズ支持枠１３を前方に移動させると、フォロアピン１３ａが直進案内溝１ｂに沿って前方に直進移動して２群用カム溝Ｃ１（フォロア挿脱開口１１ｇ）から脱し、カム環１１との係合関係が解除される。レンズ支持枠１３をさらに前方に移動させると、フォロアピン１３ａが径方向溝１ｃを通して直進案内環１の前方に抜け、レンズ支持枠１３が直進案内環１からも取り出される。次いで、レンズ支持枠１５を前方に移動させると、フォロアピン１５ａが直進案内溝１ｂに沿って前方に直進移動して３群用カム溝Ｃ２（フォロア挿脱開口１１ｈ）から脱し、さらに前方に移動させると、フォロアピン１５ａが径方向溝１ｃを通して直進案内環１の前方に抜け、レンズ支持枠１５がカム環１１と直進案内環１から取り出される。
【００３２】
以上説明した本実施形態によれば、フォロアピン１３ａ、１５ａをレンズ支持枠１３、１５から分離せずにフォロアピン１３ａ、１５ａをカム溝Ｃ１、Ｃ２に係脱できるので、フォロアピン１３ａ、１５ａのカム溝Ｃ１、Ｃ２への係脱作業を簡単に行うことができる。
【００３３】
さらに、フォロアピン１３ａ、１５ａのカム溝Ｃ１、Ｃ２への係脱作業時に、フォロアピン１３ａ、１５ａをレンズ支持枠１３、１５から分離する必要がないので、本実施形態のようにフォロアピン１３ａ、１５ａがレンズ支持枠１３、１５と一体成形されたタイプであっても、フォロアピン１３ａ、１５ａをカム溝Ｃ１、Ｃ２に係脱することができる。
【００３４】
また、カム環１１の外周側に他の環状体である固定環３が配置されている状態のまま、カム溝Ｃ１、Ｃ２にフォロアピン１３ａ、１５ａを係脱できる。
【００３５】
さらに、カム溝Ｃ１、Ｃ２がカム環１１の前端および後端にまで達していない（カム環の端部に開口されていない）ので、カム溝Ｃ１、Ｃ２を形成したことによるカム環１１の強度低下を最小限に止めることができる。
また、カム溝Ｃ１、Ｃ２が貫通溝なので、有底溝とした場合に比べて、カム環１１の径を小さくすることができ、ひいてはズームレンズ鏡筒１０全体の径を小さくすることができる。但し、本発明はカム溝が有底の場合にも適用が可能である。
【００３６】
なお、実施形態では、カム環１１の各筒状体１１ａ、１１ｂ、１１ｃは前方から後方へ向かうにつれて段階的に径が小さくなり、レンズ支持枠１３、１５（フォロアピン１３ａ、１５ａ）の挿脱はカム環１１の前方から行うものとしたが、レンズ支持枠の挿脱はカム環の後方から行うようにしてもよい。この場合、各筒状体１１ａ、１１ｂ、１１ｃは後方に向かうにつれて径が段階的に大きくなるようにし、かつ、直進案内環１の環状フランジ１ａと径方向溝１ｃを、直進案内環１の後端に形成すればよい。
【００３７】
また、実施形態ではカム環１１が３つの筒状体１１ａ、１１ｂ、１１ｃを有し、２つのレンズ支持枠１３、１５をガイドしているが、本発明はレンズ支持枠が１つでも、３つ以上でも適用することができる。レンズ支持枠の数を異ならせる場合には、それに応じてカム環の異径筒状部の数を増減させればよい。
【００３８】
また、実施形態ではカム溝とフォロアピンをそれぞれ周方向に等間隔で３つ有するものとしたが、その数や周方向での位置間隔は３つに限定されるものではない。
【００３９】
さらに、実施形態はズームレンズ鏡筒に適用したものであるが、本発明のカム環はレンズ鏡筒以外にも適用が可能である。
【００４０】
【発明の効果】
本発明によれば、ズームレンズ鏡筒の構成部材である環状体に形成されたレンズ群移動用のカム溝に、レンズ支持枠のフォロアピンを簡単に係脱でき、さらに、レンズ支持枠に一体成形されたフォロアピンも係脱させることができ、また、カム溝が形成された環状体の外側に他の環状体が配置されている状態においても、カム溝にフォロアピンを係脱でき、さらに、その径を大型化しないようにすることができ、かつ、カム溝形成に伴う強度低下を最小限に止めることができる。また、ズームレンズ鏡筒用に限定されないカム環においても同様の効果を得ることができる。
【図面の簡単な説明】
【図１】本発明の一実施形態のレンズ鏡筒の上半部分を示す縦断側面図である。
【図２】カム環と直進案内環とフォロアピンのワイド端における関係を示す展開図である。
【図３】テレ端における図２と同様の展開図である。
【図４】カム環をテレ端を超えた位置まで回転させた状態の図２と同様の展開図である。
【図５】図４の状態のカム環の正面図である。
【符号の説明】
１　　　直進案内環
１ａ　　環状フランジ
１ｂ　　直進案内溝
１ｃ　　径方向溝
１ｄ　　マウント部
３　　　固定環
３ａ　　リードネジ部
３ｂ　　周方向溝
３ｃ　　環状フランジ
３ｄ　　環状段部
３ｅ　　環状段部
３ｆ　固定環部
３ｇ　前壁
５　　　ネジ
７　　　フォーカス環
７ａ　　リードネジ部
７ｂ　　切り欠き
９　　　ピン
１０　ズームレンズ鏡筒
１１　　カム環（環状体）
１１ａ　前方筒状体（異径筒状部）
１１ｂ　中間筒状体（異径筒状部）
１１ｃ　後方筒状体（異径筒状部）
１１ｄ　前方環状フランジ（段部）
１１ｅ　後方環状フランジ（段部）
１１ｆ　雌ネジ孔
１１ｇ　１１ｈ　フォロア挿脱開口
１２　　回動範囲規制ピン
１２ａ　雄ネジ
１２ｂ　マイナス溝
１３　　レンズ支持枠（移動部材）
１３ａ　フォロアピン（フォロア）
１５　　レンズ支持枠
１５ａ　フォロアピン（フォロア）
１７　　ズーム操作環
１７ａ　円形孔
１７ｂ　環状フランジ
Ｃ１　　２群用カム溝
Ｃ１ａ　前方溝
Ｃ２　　３群用カム溝
Ｃ２ａ　前方溝
Ｌ１　　第１レンズ群
Ｌ２　　第２レンズ群
Ｌ３　　第３レンズ群
Ｏ　　　光軸
【図１】
2004029764.tif 000003
【図２】
2004029764.tif 000004
【図３】
2004029764.tif 000005
【図４】
2004029764.tif 000006
【図５】
2004029764.tif 000007